(57)【要約】【課題】円偏光板の欠陥の有無を検査する検査装置であって、比較的簡易な構成でありながら、欠陥の見落としを少なくすることができる検査装置を提供する。【解決手段】検査装置１は、偏光フィルタ１７と、偏光フィルタ１７の一方の側に配置された光源１３と、偏光フィルタ１７と光源１３とが並ぶ方向を軸線方向として偏光フィルタをその面内方向に回転可能とする回転部材１１と、偏光フィルタ１７の他方の側に配置され、検査時において軸線方向に対して略直交する方向に被検査物２をその面内方向にスライドさせることを支援するスライド支援機構２０とを備える。被検査物２をスライドさせながら検査を行うと、円偏光板に光学的な欠陥が存在する場合はその欠陥が残像として強調されて見える。【選択図】図２
0003228809.tif 000002
【実用新案登録請求の範囲】
【請求項１】
円偏光板を備えるフィルム状の被検査物を対象として、前記円偏光板の欠陥の有無を検査するための検査装置であって、
偏光フィルタと、
前記偏光フィルタの一方の側に配置された光源と、
前記偏光フィルタと前記光源とが並ぶ方向を軸線方向として前記偏光フィルタをその面内方向に回転可能とする回転部材と、
前記偏光フィルタの他方の側に配置され、検査時において前記軸線方向に対して略直交する方向に前記被検査物をその面内方向にスライドさせることを支援するスライド支援機構と、を備える検査装置。
【請求項２】
前記スライド支援機構は、載置面が前記偏光フィルタの面と略平行となるように配置された載置台と、前記載置面上において一方向に延在するように配置されたガイドとを有し、
前記載置台は、前記光源が発し前記偏光フィルタを透過した光を通過させる窓部が設けられている、請求項１に記載の検査装置。
【請求項３】
前記スライド支援機構は、厚さ部分が前記ガイドに対して当接可能であるとともに前記載置面上において前記ガイドの延在方向にスライド可能である可動板を更に有し、
前記可動板は、前記光を通過させる窓部が設けられている、請求項２に記載の検査装置。
【請求項４】
前記被検査物は、前記円偏光板に対して貼合された位相差を有する剥離フィルムを備えるものであり、
前記偏光フィルタは、平面視において光軸の方向が互いに異なる二つの領域を有するように構成されている、請求項１〜３のいずれか一項記載の検査装置。
【請求項５】
前記偏光フィルタと前記光源との間に、視角制御フィルムが配置されている、請求項１〜４のいずれか一項記載の検査装置。
【請求項６】
前記円偏光板は、重合性液晶化合物から形成された位相差フィルムを備えるものである、請求項１〜５のいずれか一項記載の検査装置。
【考案の詳細な説明】
【技術分野】
【０００１】
本考案は、検査装置に関する。
【背景技術】
【０００２】
従来、円偏光板の欠陥の有無を検査する検査装置が提案されている。例えば、特許文献１に開示されている検査装置の一形態を例にすると、検査対象である円偏光板に光を照射し、その透過光を反射部材で正反射させて円偏光板に戻している。このとき、円偏光板の正常部では反射部材で反射した光が円偏光板を透過できないが、円偏光板に欠陥が存在するとその欠陥部では偏光状態が乱されるので、反射部材で正反射した光には円偏光板を透過する成分が含まれている。したがって、円偏光板に欠陥が存在すると、その欠陥は黒色の観察視野の中で輝点として観察される。
【先行技術文献】
【特許文献】
【０００３】
【特許文献１】特開２０１９−５３０５７号公報
【考案の概要】
【考案が解決しようとする課題】
【０００４】
このような従来の検査装置でも円偏光板の欠陥の有無を検査することができるものの、欠陥が数ｎｍレベルの位相差の違いである場合は欠陥を見落とすことがあり、また、撮像装置や解析装置を用いる場合は検査装置が大掛かりなものとなる。本考案は、円偏光板の欠陥の有無を検査する検査装置であって、比較的簡易な構成でありながら、欠陥の見落としを少なくすることができる検査装置を提供することを目的とする。
【課題を解決するための手段】
【０００５】
本考案は、円偏光板を備えるフィルム状の被検査物を対象として円偏光板の欠陥の有無を検査するための検査装置であって、偏光フィルタと、偏光フィルタの一方の側に配置された光源と、偏光フィルタと光源とが並ぶ方向を軸線方向として偏光フィルタをその面内方向に回転可能とする回転部材と、偏光フィルタの他方の側に配置され、検査時において軸線方向に対して略直交する方向に被検査物をその面内方向にスライドさせることを支援するスライド支援機構と、を備える検査装置を提供する。
【０００６】
この検査装置を用いて円偏光板の欠陥の有無を検査するとき、回転部材によって偏光フィルタを回転させることで、偏光フィルタの光軸の方向を検査に適した方向に合わせることができる。そして、スライド支援機構に支援されながら被検査物をスライドすることで検査を行う。ここで、円偏光板に光学的な欠陥が存在する場合は、スライドしている最中にその欠陥が残像として強調されて見える。この強調された残像は、欠陥が数ｎｍレベルの位相差の違いであったとしても肉眼で十分に判別できるものであるので、特別な検出装置を用いなくとも欠陥の見落としを少なくすることができる。
【０００７】
スライド支援機構は、載置面が偏光フィルタの面と略平行となるように配置された載置台と、載置面上において一方向に延在するように配置されたガイドとを有し、載置台は、光源が発し偏光フィルタを透過した光を通過させる窓部が設けられていることが好ましい。この載置台とガイドとがあれば、被検査物を一方向にスライドすることが容易になる。
【０００８】
スライド支援機構は、厚さ部分がガイドに対して当接可能であるとともに載置面上においてガイドの延在方向にスライド可能である可動板を更に有し、可動板は、光源が発し偏光フィルタを透過し載置台の窓部を通過した光を通過させる窓部が設けられていることが好ましい。この可動板があれば、ガイドに沿って被検査物をスライドすることが容易になる。
【０００９】
被検査物が、円偏光板に対して貼合された位相差を有する剥離フィルムを備えるものである場合は、偏光フィルタは、平面視において光軸の方向が互いに異なる二つの領域を有するように構成されていることが好ましい。これによれば、検査前に回転部材を操作して、偏光フィルタの一方の領域の光軸と剥離フィルムの光軸との関係で剥離フィルムの位相差をキャンセルできる角度を見出して偏光フィルタの角度を固定し、検査時にはその角度のままで偏光フィルタの他方の領域を用いて検査するという検査手順が可能になる。
【００１０】
この検査装置において、偏光フィルタと光源との間に視角制御フィルムが配置されていることが好ましい。これによれば、光源の光を偏光フィルタに正面から入射させることができ、且つ、迷光が侵入しないようにすることができる。
【００１１】
円偏光板は、重合性液晶化合物から形成された位相差フィルムを備えるものであってもよい。重合性液晶化合物から形成された位相差フィルムは、一般に他の方法で形成された位相差フィルムよりも厚みが薄い。このように厚みが薄い位相差フィルムに存在する数ｎｍ程度の位相差値変化による色ムラ欠陥であっても、本考案の検査装置によれば色ムラ欠陥の見落としを少なくすることができる。
【考案の効果】
【００１２】
本考案によれば、比較的簡易な構成でありながら、欠陥の見落としを少なくすることができる検査装置を提供することができる。
【図面の簡単な説明】
【００１３】
【図１】本考案の一実施形態に係る検査装置の平面図である。
【図２】図１のＩＩ−ＩＩ線に沿った側断面図である。
【図３】偏光フィルタの平面図である。
【図４】偏光フィルタの回転角を調整するときの検査装置の平面図である。
【図５】（Ａ）、（Ｂ）、（Ｃ）いずれも、偏光フィルタの角度を変化させた様子を示す平面図である。
【考案を実施するための形態】
【００１４】
以下、本考案の好適な実施形態について、図面を参照しながら詳細に説明する。なお、各図において同一部分又は相当部分には同一符号を付し、重複する説明は省略する。本実施形態では、検査装置を水平な台の上に載置して使用する場合について説明する。すなわち、後述する回転部材が回転する軸線が鉛直方向を向いており、且つ、検査時に被検査物をスライドさせる方向は水平方向とする。なお、本明細書において「スライド」とは、ある部材の位置を、位置が固定された別の部材に対して移動させることをいい、それらの部材同士の直接的な接触／非接触の別を問わない。
【００１５】
（被検査物）
検査対象である被検査物は、円偏光板を備える光学フィルムである。円偏光板は、偏光フィルムの片面又は両面に保護フィルムが積層された偏光板に対して位相差フィルムが形成されてなるものである。この位相差フィルムは、樹脂フィルムを延伸することにより位相差を発現させたフィルムであってもよく、重合性液晶化合物を偏光板に塗布、乾燥させて形成したものであってもよい。なお、本明細書において「円偏光板」とは、円偏光板（λ／４板）及び楕円偏光板を含むものとする。
【００１６】
この円偏光板のみからなるものを被検査物としてもよいが、円偏光板には種々の他のフィルムが積層されていてもよい。例えば、位相差フィルム側には粘着剤層と剥離フィルムとが積層されていてもよい。この剥離フィルムは、円偏光板をその粘着剤層を介して画像表示装置に貼着する際に剥がされるものである。剥離フィルムの材料としては、ポリエチレンテレフタレートであってもよい。また、偏光フィルム側にはその表面を保護するための表面保護フィルムが貼合されていてもよい。この剥離フィルムや表面保護フィルムが位相差を有する場合であっても、後述するとおり、本実施形態の検査装置によれば、円偏光板の欠陥の有無を検査する際の妨げにならないようにすることができる。
【００１７】
（検査装置）
図１及び図２に示されているとおり、本実施形態の検査装置１は、検査装置１を水平な台の上に載置した際にその下部に位置することになる回転機構１０と、回転機構１０の上方に配置されたスライド支援機構２０とを備えている。回転機構１０は、検査対象である被検査物２（図２参照）に対して検査に適した光を入射させるための機構であり、回転部材１１と、光源１３と、視角制御フィルム１５と、フィルム状の偏光フィルタ１７とがこの順に積層されてなる。他方、スライド支援機構２０は、検査時において検査対象である被検査物２が載置されるとともに被検査物２を水平方向にスライドさせることを支援するための機構であり、載置台２１と、その載置面上において一方向に延在するように配置されたスライド用ガイド２３Ａと、載置台２１上に載置された可動板２５と、可動板２５上に載置されたガラス板２９とを含んでなる。
【００１８】
回転部材１１は、鉛直方向を向いた所定の軸線Ｓの周りに回転することができるものであればよく、例えばベアリング台である。回転部材１１は、水平にされた台３の上に載置されている。回転部材１１がベアリング台である場合、その下部材１１ａが台３上に固定されており、その上部材１１ｂが回転する。上部材１１ｂには水平方向に延びる操作棒１９の一端が固定して取り付けられており、操作棒１９の他端は検査装置１全体を平面視したときに載置台２１のよりも外側へはみ出す程度に長く延びている（図１参照）。操作棒１９を水平方向に動かすことにより、上部材１１ｂが回転する。
【００１９】
回転部材１１上には、光源１３が鉛直上向きに発光するように載置されている。光源１３は、無偏光を発する種々の市販品を用いることができる。なお、図２では光源１３の幅が偏光フィルタ１７の幅よりも広く描かれているが、光源１３のうち発光可能な範囲は、偏光フィルタ１７の幅よりも狭いものとなっている。
【００２０】
光源１３上には、視角制御フィルム１５が載置されている。視角制御フィルム１５は、矩形のフィルムを二枚重ねたものである。この二枚のフィルムは、視角を制限する方向が直交するように重ねられており、これによって光源１３から受けた光を直進させることができ、かつ、横から迷光が侵入しないようにすることができる。
【００２１】
視角制御フィルム１５上には、偏光フィルタ１７が載置されている。偏光フィルタ１７は、矩形の直線偏光板である。偏光フィルタ１７は、視角制御フィルム１５を透過した光を受けて、無偏光の光を直線偏光に変換する。偏光フィルタ１７は、図３に示されているとおり、平面視において、光軸（吸収軸又は透過軸）の方向が互いに異なる第１の領域１７ａ及び第２の領域１７ｂを有している。偏光フィルタ１７は平面視において、第１の領域１７ａと第２の領域１７ｂとの面積が例えば３：１となるように直線で分割されており、第１の領域の光軸Ｐ１と第２の領域１７ｂの光軸Ｐ２とが互いに直交している。偏光フィルタ１７のある辺を基準とした場合、例えば、第１の領域１７ａの光軸Ｐ１は１３５°、第２の領域１７ｂの光軸Ｐ２は４５°とされている。後述するとおり、検査時において、面積が狭いほうの第２の領域１７ｂは偏光フィルタ１７の回転角の調整のために用い、面積が広いほうの第１の領域１７ａは検査のために用いる。このような偏光フィルタ１７は、第１の領域１７ａを構成する部分と第２の領域１７ｂを構成する部分とをそれぞれ他の偏光板から切り出して用意したものを、それらの光軸の向きが上記のものとなるように考慮したうえで、厚さ部分で互いに貼り合わせることで作製することができる。
【００２２】
載置台２１は、偏光フィルタ１７の面と平行（すなわち本実施形態では水平）となる上面を有する板状部材であり、台３に対して支柱４，４によって支えられ、上述した回転機構１０の各構成全体を覆うようにして配置されている。載置台２１は光源１３が発する光を透過させない材料からなる。散乱光を減らす観点から、載置台２１の下面と偏光フィルタ１７との距離は４０ｍｍ以上とすることが好ましい。
【００２３】
載置台２１は、平面視において矩形であり、その略中央には矩形の窓部２１ａが設けられている。窓部２１ａは載置台２１を厚さ方向に貫通する穴として存在する。窓部２１ａの矩形の長辺と短辺はそれぞれ載置台２１の矩形の長辺と短辺と平行となる向きとされている。
【００２４】
載置台２１の載置面上には、スライド用ガイド２３Ａが配置されている。スライド用ガイド２３Ａは断面視矩形の棒状であり、載置台２１の片方の長辺側に偏った位置に、その長辺方向に延在するように固定されている。また、載置台２１の載置面上には、回転角調整用ガイド２３Ｂが配置されている。回転角調整用ガイド２３Ｂは断面視矩形の棒状であり、載置台２１の短辺側に偏った位置に、その短辺方向に延在するように、且つ、スライド用ガイドと９０°の角度を形成するように固定されている。
【００２５】
載置台２１の載置面上には、可動板２５が載置されている。可動板２５は矩形の板状部材であり、その矩形の大きさは、載置台２１に設けられた矩形の窓部２１ａより大きなものとされている。可動板２５は光源１３が発する光を透過させない材料からなる。可動板２５は、その矩形の長辺と短辺がそれぞれ載置台２１の矩形の長辺と短辺と平行となる向きに配置されている。したがって、可動板２５はその長辺における厚さ部分がスライド用ガイド２３Ａに対して当接可能であり（図１及び図２参照）、また、その短辺における厚さ部分が回転角調整用ガイド２３Ｂに対して当接可能である（図４参照）。可動板２５は、スライド用ガイド２３Ａの延在方向、及び、回転角調整用ガイド２３Ｂの延在方向のいずれにもスライド可能である。
【００２６】
また、可動板２５の平面視略中央には矩形の窓部２５ａが設けられている。窓部２５ａは可動板２５を厚さ方向に貫通する穴として存在する。可動板２５の窓部２５ａの矩形の長辺と短辺はそれぞれ可動板２５の矩形の長辺と短辺と平行となる向きとされている。可動板２５の窓部２５ａの大きさは、載置台２１の窓部２１ａの大きさよりも小さいものとされているが、可動板２５がスライド用ガイド２３Ａ又は回転角調整用ガイド２３Ｂに当接しているときにも、平面視で窓部２５ａと載置台２１の窓部２１ａとの位置が重なり偏光フィルタ１７を見ることができる程度の大きさを有している（図１及び図４参照）。
【００２７】
可動板２５の載置面上において、窓部２５ａの縁の近傍には、二本の位置決め部材２７Ａ，２７Ｂが配置されている。二本の位置決め部材２７Ａ，２７Ｂはいずれも断面視矩形の棒状であり、一方の位置決め部材２７Ａは窓部２５ａの長辺の長さに対して足りない長さとされており、他方の位置決め部材２７Ｂは窓部２５ａの短辺の長さに対して足りない長さとされている。そして、それぞれが窓部２５ａの長辺の縁と短辺の縁とに沿うようにして固定されている。したがって、二本の位置決め部材２７Ａ，２７Ｂは互いに直交する向きに固定されている。
【００２８】
可動板２５の載置面上には、ガラス板２９が載置されている。ガラス板２９は、平面視において窓部２５ａを全て覆うことができる程度の大きさの矩形をなしており、その隣り合う二辺において位置決め部材２７Ａ，２７Ｂとそれぞれ当接するように配置されている。検査時には、ガラス板２９の上に被検査物２が載置される。図２では被検査物２を仮想線で描いている。被検査物２の大きさによるが、ガラス板２９があることで被検査物２が窓部２５ａから落下することが防止され、又は、被検査物２が窓部２５ａに向かって撓むことが防止される。
【００２９】
（検査手順）
上記のように構成された検査装置１を用いて、円偏光板を備える被検査物２を検査する。検査装置１は、図１に示されている向きに、すなわち、図示下側に正対する検査者から見てスライド用ガイド２３Ａが左側、回転角調整用ガイド２３Ｂが下側になるように配置する。
【００３０】
はじめに、可動板２５の窓部２５ａの大きさよりも小さい被検査物２をガラス板２９上に載置する。被検査物２が剥離フィルムを備えている場合は剥離フィルムが下向き（ガラス板２９側）となるように載置する。このとき、観察視野が黒くならないよう、被検査物２と偏光フィルタ１７とがクロスニコルとならないように載置向きに留意する。被検査物２をガラス板２９とともに位置決め部材２７Ａ，２７Ｂに当接させる。位置決め部材２７Ａ，２７Ｂへのこの当接は検査が終了するまで同じ位置で保つので、必要に応じて粘着テープ等を用いて位置を固定してもよい。
【００３１】
次に、図４に示されているとおり、可動板２５を回転角調整用ガイド２３Ｂに当接させる。なお、図４では被検査物２の描画を省略している。載置台２１の窓部２１ａと可動板２５の窓部２５ａとは平面視での位置が重複しているので、光源１３が発し偏光フィルタ１７を透過した光は、載置台２１の窓部２１ａ、可動板２５の窓部２５ａ、ガラス板２９、被検査物２を順に通過して、検査者に見える。すなわち、検査装置１の真上から見ると、被検査物２を通して偏光フィルタ１７が見える。このように偏光フィルタ１７を覗いたときに、偏光フィルタ１７の第２の領域１７ｂが見える位置となるように、可動板２５を回転角調整用ガイド２３Ｂに当接させながらスライドさせる。本実施形態では、偏光フィルタ１７を図３に示している向きで検査装置１に適用しているので、可動板２５を図４における図示右側に移動させると第２の領域１７ｂが見えやすくなる。なおこのとき、図５（Ａ）に示されているとおり、視野Ｒ内に第１の領域１７ａが同時に見えていてもよい。なお、視野Ｒの大きさ及び形状は、窓部２５ａの大きさ及び形状そのものである。
【００３２】
検査装置１の真上から被検査物２を通して偏光フィルタ１７を覗きながら、操作棒１９を操作して偏光フィルタ１７をその面内方向に回転させる。左回転（図５（Ｂ））と右回転（図５（Ｃ））の両方における様々な角度を試しながら、第２の領域１７ｂの色を観察する。そして第２の領域１７ｂが緑色や赤色に着色して見える角度ではなく、それらの中間色となる角度を探し、その角度で操作棒１９を固定する。
【００３３】
次に、可動板２５をスライド用ガイド２３Ａに当接させる（図１の状態）。可動板２５が図示左側に寄ることになるので、ここで検査装置１の真上から被検査物２を通して偏光フィルタ１７を覗くと、第１の領域１７ａのみが見える。この状態で、可動板２５をスライド用ガイド２３Ａに当接させたまま図示上下方向にスライドさせて、検査を行う。この被検査物２の面内方向のスライドは往復運動として行い、ストロークは３０ｍｍ程度、スライド速度は１秒間に３往復させる程度とすることが好ましい。偏光フィルタ１７に対して可動板２５をスライドさせることで、被検査物２も偏光フィルタ１７に対してスライドすることになる。このように被検査物２をスライドさせながら、被検査物２を観察する。
【００３４】
以上の検査手順によれば、円偏光板の色ムラ欠陥の有無を検査することができる。すなわち、本実施形態の検査装置１によれば、載置台２１、スライド用ガイド２３Ａ及び可動板２５に支援されることで、被検査物２を一方向に正確に往復スライドさせることができ、ここで被検査物２が備える円偏光板に光学的な欠陥が存在する場合は、スライドしている最中にその欠陥が残像として強調されて見える。この強調された残像は、欠陥が数ｎｍレベルの位相差の違いであったとしても肉眼で十分に判別できるものであるので、特別な検出装置を用いなくとも色ムラ欠陥の見落としを少なくすることができる。
【００３５】
また、偏光板の欠陥の有無を検査する前に、操作棒１９で回転部材１１を操作して偏光フィルタ１７を回転させることで、偏光フィルタ１７の光軸の方向を検査に適した方向に合わせることができる。すなわち、被検査物２が剥離フィルムのような位相差を有するフィルムを備える場合であっても、偏光フィルタ１７の第２の領域１７ｂを用いて剥離フィルムの光軸と第２の領域１７ｂの光軸との関係を調整することにより、剥離フィルムが有する位相差をキャンセルした状態で第１の領域１７ａを用いて検査をすることができる。剥離フィルムとして位相差値が比較的大きなポリエチレンテレフタレートからなるものを用いる場合は、この検査方法が特に有効である。
【００３６】
また、この検査装置１は偏光フィルタ１７と光源１３との間に視角制御フィルム１５が配置されているので、光源１３の光を偏光フィルタ１７に正面から入射させることができ、且つ、迷光が侵入しないようにすることができる。
【００３７】
また、円偏光板が重合性液晶化合物から形成された位相差フィルムを備えるものである場合、重合性液晶化合物から形成された位相差フィルムは一般に他の方法で形成された位相差フィルムよりも薄が、検査装置１によれば、このように薄い位相差フィルムに存在する数ｎｍ程度の位相差値変化による色ムラ欠陥であっても欠陥の見落としを少なくすることができる。
【００３８】
以上、本考案の好適な実施形態について説明したが、本考案は上記実施形態に何ら限定されるものではない。例えば、上記実施形態ではスライド支援機構２０が載置台２１、スライド用ガイド２３Ａ、可動板２５及びガラス板２９を備えるものとしたが、スライド支援機構２０の構成は適宜簡略化してもよい。また、回転機構１０についても、視角制御フィルム１５は省いてもよい。
【００３９】
また、本実施形態ではスライド用ガイド２３Ａを棒状のものとしたが、一方向に延在する態様のものであれば、他の形状であってもよい、例えば、複数の柱が離散的に一列に並ぶ態様であってもよい。この場合、当接する可動板２５のスライドを円滑に行えるように、柱の間隔は可動板２５の辺の長さよりも十分に短い間隔とする。
【００４０】
また、本実施形態では載置台２１の窓部２１ａ及び可動板２５の窓部２５ａの形状を矩形としているが、いずれの窓部も矩形以外の形状であってもよく、窓部の一辺が平面視において載置台２１又は可動板２５の外周とつながって載置台２１又は可動板２５がコ字形を成していてもよい。
【００４１】
また、本実施形態では可動板２５の窓部２５ａの大きさよりも小さい被検査物２を対象として検査する例を示したが、被検査物２は、窓部２５ａの大きさよりも大きいものであってもよい。この場合、被検査物２の二辺を位置決め部材２７Ａ，２７Ｂに当接させて検査を終えた後に、被検査物２の他の辺を含む二辺を位置決め部材２７Ａ，２７Ｂに当接させて更に検査を行うことで、被検査物２の全面を検査することができる。
【００４２】
また、上記実施形態では検査装置１を水平な台の上に載置して使用する場合について説明したが、検査装置１を検査者から見て奥側が高くなるように例えば５°〜２０°程度傾けてもよい。この場合、可動板２５をスライドさせるときにガラス板２９や被検査物２が位置決め部材２７Ａ，２７Ｂから離れることを防止できる。また、検査装置１を９０°傾けるようにして壁に取り付けてもよい。
【産業上の利用可能性】
【００４３】
本考案は、円偏光板の欠陥の有無を検査することに利用可能である。
【符号の説明】
【００４４】
１…検査装置、２…被検査物、３…台、４…支柱、１０…回転機構、１１…回転部材、１１ａ…下部材、１１ｂ…上部材、１３…光源、１５…視角制御フィルム、１７…偏光フィルタ、１７ａ…第１の領域、１７ｂ…第２の領域、１９…操作棒、２０…スライド支援機構、２１…載置台、２１ａ…載置台の窓部、２３Ａ…スライド用ガイド、２３Ｂ…回転角調整用ガイド、２５…可動板、２５ａ…可動板の窓部、２７Ａ，２７Ｂ…位置決め部材、２９…ガラス板、Ｐ１…第１の領域の光軸、Ｐ２…第２の領域の光軸、Ｒ…視野、Ｓ…軸線。
【図１】
0003228809.tif 000003
【図２】
0003228809.tif 000004
【図３】
0003228809.tif 000005
【図４】
0003228809.tif 000006
【図５】
0003228809.tif 000007